(57)【特許請求の範囲】
【請求項１】
メモリカード使用機器の筐体；
前記筐体に設けられたメモリカード操作室；
前記筐体にヒンジ結合されて前記メモリカード操作室を開閉する開閉蓋；及び
前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；
を備えたメモリカード保持装置において、
前記複数のメモリカードコネクタによる複数のメモリカードのメモリカード平面と直交する方向から見た装填位置を互いに異ならせたこと；
前記複数のメモリカードコネクタは、前記筐体と開閉蓋のヒンジ軸に近いほど排出量が多いメモリカード排出機構を有すること；及び
複数のメモリカードの前記装填位置は、前記筐体と開閉蓋のヒンジ軸に近いほど、前記筐体外方へ突出しており、且つ／又は、前記筐体と開閉蓋のヒンジ軸に近い側のメモリカードコネクタから排出されたメモリカードほど、前記筐体外方に突出していること；
を特徴とするメモリカード保持装置。
【請求項２】
メモリカード使用機器の筐体；
前記筐体に設けられたメモリカード操作室；
前記筐体にヒンジ結合されて前記メモリカード操作室を開閉する開閉蓋；及び
前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；
を備えたメモリカード保持装置において、
前記複数のメモリカードコネクタによる複数のメモリカードのメモリカード平面と直交する方向から見た排出位置を互いに異ならせたこと；
前記複数のメモリカードコネクタは、前記筐体と開閉蓋のヒンジ軸に近いほど排出量が多いメモリカード排出機構を有すること；及び
複数のメモリカードの前記装填位置は、前記筐体と開閉蓋のヒンジ軸に近いほど、前記筐体外方へ突出しており、且つ／又は、前記筐体と開閉蓋のヒンジ軸に近い側のメモリカードコネクタから排出されたメモリカードほど、前記筐体外方に突出していること；
を特徴とするメモリカード保持装置。
【請求項３】
請求項１または２記載のメモリカード保持装置において、
前記複数のメモリカードコネクタは、前記筐体と開閉蓋のヒンジ軸から遠いほど、メモリカードの装填排出抵抗が大きく設定されているメモリカード保持装置。
【請求項４】
請求項１ないし３のいずれか１項記載のメモリカード保持装置において、
前記メモリカード操作室には、単一の回路基板の両面に電気接点を介して接続された２つのメモリカードコネクタが収納されており、この２つのメモリカードコネクタの回路基板への接続位置は、回路基板平面と直交する方向から見て互いに異なっているメモリカード保持装置。
【請求項５】
メモリカード使用機器の筐体；
前記筐体に設けられたメモリカード操作室；
前記筐体にヒンジ結合されて前記メモリカード操作室を開閉する開閉蓋；及び
前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；
を備えたメモリカード保持装置において、
前記複数のメモリカードコネクタによる複数のメモリカードのメモリカード平面と直交する方向から見た装填位置を互いに異ならせたこと；
前記複数のメモリカードコネクタは、前記筐体と開閉蓋のヒンジ軸から遠いほど、メモリカードの装填排出抵抗が大きく設定されていること；及び
複数のメモリカードの前記装填位置は、前記筐体と開閉蓋のヒンジ軸に近いほど、前記筐体外方へ突出しており、且つ／又は、前記筐体と開閉蓋のヒンジ軸に近い側のメモリカードコネクタから排出されたメモリカードほど、前記筐体外方に突出していること；
を特徴とするメモリカード保持装置。
【請求項６】
メモリカード使用機器の筐体；
前記筐体に設けられたメモリカード操作室；
前記筐体にヒンジ結合されて前記メモリカード操作室を開閉する開閉蓋；及び
前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；
を備えたメモリカード保持装置において、
前記複数のメモリカードコネクタによる複数のメモリカードのメモリカード平面と直交する方向から見た排出位置を互いに異ならせたこと；
前記複数のメモリカードコネクタは、前記筐体と開閉蓋のヒンジ軸から遠いほど、メモリカードの装填排出抵抗が大きく設定されていること；及び
複数のメモリカードの前記装填位置は、前記筐体と開閉蓋のヒンジ軸に近いほど、前記筐体外方へ突出しており、且つ／又は、前記筐体と開閉蓋のヒンジ軸に近い側のメモリカードコネクタから排出されたメモリカードほど、前記筐体外方に突出していること；
を特徴とするメモリカード保持装置。
【請求項７】
請求項５または６記載のメモリカード保持装置において、
前記メモリカード操作室には、単一の回路基板の両面に電気接点を介して接続された２つのメモリカードコネクタが収納されており、この２つのメモリカードコネクタの回路基板への接続位置は、回路基板平面と直交する方向から見て互いに異なっているメモリカード保持装置。
【請求項８】
メモリカード使用機器の筐体；
前記筐体に設けられたメモリカード操作室；
前記筐体にヒンジ結合されて前記メモリカード操作室を開閉する開閉蓋；及び
前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；
を備えたメモリカード保持装置において、
前記複数のメモリカードコネクタによる複数のメモリカードのメモリカード平面と直交する方向から見た装填位置を互いに異ならせたこと；及び
前記メモリカード操作室には、単一の回路基板の両面に電気接点を介して接続された２つのメモリカードコネクタが収納されており、この２つのメモリカードコネクタの回路基板への接続位置は、回路基板平面と直交する方向から見て互いに異なっていること；
を特徴とするメモリカード保持装置。
【請求項９】
メモリカード使用機器の筐体；
前記筐体に設けられたメモリカード操作室；
前記筐体にヒンジ結合されて前記メモリカード操作室を開閉する開閉蓋；及び
前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；
を備えたメモリカード保持装置において、
前記複数のメモリカードコネクタによる複数のメモリカードのメモリカード平面と直交する方向から見た排出位置を互いに異ならせたこと；及び
前記メモリカード操作室には、単一の回路基板の両面に電気接点を介して接続された２つのメモリカードコネクタが収納されており、この２つのメモリカードコネクタの回路基板への接続位置は、回路基板平面と直交する方向から見て互いに異なっていること；
を特徴とするメモリカード保持装置。
【請求項１０】
請求項１、５または８記載のメモリカード保持装置において、
複数のメモリカードの前記装填位置は、前記筐体と開閉蓋のヒンジ軸に近いほど、前記筐体外方へ突出しているメモリカード保持装置。
【請求項１１】
請求項３、５、６または７記載のメモリカード保持装置において、
前記複数のメモリカードコネクタは、前記筐体と開閉蓋のヒンジ軸から遠いほど、メモリカード挿入口の幅が狭められているメモリカード保持装置。
【請求項１２】
請求項３、５、６、７または１１記載のメモリカード保持装置において、
前記筐体と開閉蓋のヒンジ軸に近い側のメモリカードコネクタから排出されたメモリカードほど、前記筐体外方に突出しているメモリカード保持装置。
【発明の詳細な説明】
【技術分野】
【０００１】
本発明は、デジタルカメラ、ビデオカメラ、ＰＣ等のメモリカード使用機器に搭載される、同一種類の複数のメモリカードを保持するメモリカード保持装置に関する。
【背景技術】
【０００２】
近年、デジタルカメラ、ビデオカメラ、ＰＣ等のメモリカード使用機器には、高画質画像、動画の記録に伴う容量の増加に対応すると共に、データ管理の利便性を高めるため、同一種類の複数のメモリカードを保持可能なメモリカード保持装置が搭載されているものがある。
【０００３】
このようなメモリカード保持装置は一般に、メモリカード使用機器の筐体と、筐体に設けられたメモリカード操作室と、筐体にヒンジ結合されてメモリカード操作室を開閉する開閉蓋と、メモリカード操作室に開口するヒンジ軸と平行な複数の挿入口を有し、これら複数の挿入口に挿入する同一種類の複数のメモリカードを装填位置及び排出位置に安定状態で保持する複数のメモリカードコネクタとを有する。
【０００４】
従来、これら複数のメモリカードコネクタによる複数のメモリカードのメモリカード平面と直交する方向から見た装填位置は全て同一（面一）であるのが普通であった。
【先行技術文献】
【特許文献】
【０００５】
【特許文献１】特開２００４−１５３４３０号公報
【特許文献２】特開２００５−１６７８８９号公報
【発明の概要】
【発明が解決しようとする課題】
【０００６】
しかし、本発明者によれば、複数のメモリカードコネクタによる複数のメモリカードのメモリカード平面と直交する方向から見た装填位置が全て同一であると、メモリカード使用機器を操作する際に、操作対象である複数のメモリカード及びメモリカードコネクタを目視することなく指先の感触だけで識別することが難しく、誤操作を誘発する虞がある。
【０００７】
例えば、複数のメモリカードコネクタのうち、特定のメモリカードコネクタにメモリカードを装填しようとしたが誤って他のメモリカードコネクタにメモリカードを装填すること、特定のメモリカードコネクタに装填したメモリカードを排出しようとしたが誤って他のメモリカードコネクタに装填したメモリカードを排出することがある。
【０００８】
本発明は、以上の問題意識に基づいてなされたものであり、操作対象である複数のメモリカード及びメモリカードコネクタを目視することなく指先の感触だけで識別することができる操作性が高いメモリカード保持装置を提供することを目的とする。
【課題を解決するための手段】
【０００９】
本発明は、複数のメモリカードコネクタによる複数のメモリカードのメモリカード平面と直交する方向から見た装填位置を全て同一とする従来の技術常識を見直し、複数のメモリカードコネクタによる複数のメモリカードのメモリカード平面と直交する方向からみた装填位置を互いに異ならせれば、操作対象である複数のメモリカード及びメモリカードコネクタを目視することなく指先の感触だけで識別して操作性を高めることができるとの着眼に基づいてなされたものである。
【００１０】
本発明のメモリカード保持装置は、第１の態様では、メモリカード使用機器の筐体；前記筐体に設けられたメモリカード操作室；前記筐体にヒンジ結合されて前記メモリカード操作室を開閉する開閉蓋；及び前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；を備えたメモリカード保持装置において、前記複数のメモリカードコネクタによる複数のメモリカードのメモリカード平面と直交する方向から見た装填位置を互いに異ならせたこと；前記複数のメモリカードコネクタは、前記筐体と開閉蓋のヒンジ軸に近いほど排出量が多いメモリカード排出機構を有すること；及び複数のメモリカードの前記装填位置は、前記筐体と開閉蓋のヒンジ軸に近いほど、前記筐体外方へ突出しており、且つ／又は、前記筐体と開閉蓋のヒンジ軸に近い側のメモリカードコネクタから排出されたメモリカードほど、前記筐体外方に突出していること；を特徴としている。 
【００１１】
本発明のメモリカード保持装置は、第２の態様では、メモリカード使用機器の筐体；前記筐体に設けられたメモリカード操作室；前記筐体にヒンジ結合されて前記メモリカード操作室を開閉する開閉蓋；及び前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；を備えたメモリカード保持装置において、前記複数のメモリカードコネクタによる複数のメモリカードのメモリカード平面と直交する方向から見た排出位置を互いに異ならせたこと；前記複数のメモリカードコネクタは、前記筐体と開閉蓋のヒンジ軸に近いほど排出量が多いメモリカード排出機構を有すること；及び複数のメモリカードの前記装填位置は、前記筐体と開閉蓋のヒンジ軸に近いほど、前記筐体外方へ突出しており、且つ／又は、前記筐体と開閉蓋のヒンジ軸に近い側のメモリカードコネクタから排出されたメモリカードほど、前記筐体外方に突出していること；を特徴としている。 
【００１２】
本発明のメモリカード保持装置は、第３の態様では、メモリカード使用機器の筐体；前記筐体に設けられたメモリカード操作室；前記筐体にヒンジ結合されて前記メモリカード操作室を開閉する開閉蓋；及び前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；を備えたメモリカード保持装置において、前記複数のメモリカードコネクタによる複数のメモリカードのメモリカード平面と直交する方向から見た装填位置を互いに異ならせたこと；前記複数のメモリカードコネクタは、前記筐体と開閉蓋のヒンジ軸から遠いほど、メモリカードの装填排出抵抗が大きく設定されていること；及び複数のメモリカードの前記装填位置は、前記筐体と開閉蓋のヒンジ軸に近いほど、前記筐体外方へ突出しており、且つ／又は、前記筐体と開閉蓋のヒンジ軸に近い側のメモリカードコネクタから排出されたメモリカードほど、前記筐体外方に突出していること；を特徴としている。 
【００１３】
本発明のメモリカード保持装置は、第４の態様では、メモリカード使用機器の筐体；前記筐体に設けられたメモリカード操作室；前記筐体にヒンジ結合されて前記メモリカード操作室を開閉する開閉蓋；及び前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；を備えたメモリカード保持装置において、前記複数のメモリカードコネクタによる複数のメモリカードのメモリカード平面と直交する方向から見た排出位置を互いに異ならせたこと；前記複数のメモリカードコネクタは、前記筐体と開閉蓋のヒンジ軸から遠いほど、メモリカードの装填排出抵抗が大きく設定されていること；及び複数のメモリカードの前記装填位置は、前記筐体と開閉蓋のヒンジ軸に近いほど、前記筐体外方へ突出しており、且つ／又は、前記筐体と開閉蓋のヒンジ軸に近い側のメモリカードコネクタから排出されたメモリカードほど、前記筐体外方に突出していること；を特徴としている。 
【００１４】
本発明のメモリカード保持装置は、第５の態様では、メモリカード使用機器の筐体；前記筐体に設けられたメモリカード操作室；前記筐体にヒンジ結合されて前記メモリカード操作室を開閉する開閉蓋；及び前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；を備えたメモリカード保持装置において、前記複数のメモリカードコネクタによる複数のメモリカードのメモリカード平面と直交する方向から見た装填位置を互いに異ならせたこと；及び前記メモリカード操作室には、単一の回路基板の両面に電気接点を介して接続された２つのメモリカードコネクタが収納されており、この２つのメモリカードコネクタの回路基板への接続位置は、回路基板平面と直交する方向から見て互いに異なっていること；を特徴としている。
【００１５】
本発明のメモリカード保持装置は、第６の態様では、メモリカード使用機器の筐体；前記筐体に設けられたメモリカード操作室；前記筐体にヒンジ結合されて前記メモリカード操作室を開閉する開閉蓋；及び前記メモリカード操作室に開口する、前記ヒンジ結合のためのヒンジ軸と平行な複数の挿入口を有し、該複数の挿入口に挿入する同一種類の複数のメモリカードを装填位置及び排出位置に安定状態で保持する複数のメモリカードコネクタ；を備えたメモリカード保持装置において、前記複数のメモリカードコネクタによる複数のメモリカードのメモリカード平面と直交する方向から見た排出位置を互いに異ならせたこと；及び前記メモリカード操作室には、単一の回路基板の両面に電気接点を介して接続された２つのメモリカードコネクタが収納されており、この２つのメモリカードコネクタの回路基板への接続位置は、回路基板平面と直交する方向から見て互いに異なっていること；を特徴としている。
【発明の効果】
【００１７】
本発明によれば、操作対象である複数のメモリカード及びメモリカードコネクタを目視することなく指先の感触だけで識別することができる操作性が高いメモリカード保持装置を提供することができる。
【図面の簡単な説明】
【００１８】
【図１】本発明のメモリカード保持装置を搭載したデジタルカメラの全体構成を示す斜視図である。
【図２】本発明のメモリカード保持装置のメモリカード装填状態を示す概略断面図である。
【図３】本発明のメモリカード保持装置のメモリカード排出状態を示す概略断面図である。
【図４】２つのメモリカードコネクタによるメモリカード排出量を異ならせた図３に対応する概略断面図である。
【図５】メモリカード操作室の底面を平面形状にした図２に対応する概略断面図である。
【発明を実施するための形態】
【００１９】
図１乃至図５を用いて、本発明のメモリカード保持装置２０をデジタルカメラ（メモリカード使用機器）１に適用した実施形態を説明する。メモリカード保持装置２０は、同一種類の２枚のメモリカードを保持可能なデュアルスロットタイプである。
【００２０】
図１に示すように、デジタルカメラ１の筐体２の上面には、シャッターボタン３、電源レバー４、表示パネル５、モードダイヤル６、ホットシュー７が配置されている。筐体２の後面には、ファインダー８、画像モニター９、リモコン受光部１０、カードアクセスランプ１１が配置されている。筐体２の左側面には、シンクロターミナル１２、三脚ねじ穴１３、外部ＩＦコネクタ１４が配置されている。
【００２１】
図１乃至図３に示すように、筐体２の左側面にはメモリカード操作室２１が形成されており、このメモリカード操作室２１は、筐体２にヒンジ軸Ｈで結合された開閉蓋（カードカバー）２２により開閉可能である。開閉蓋２２のメモリカード操作室２１に臨む裏面側には係合爪部（図示せず）が形成されており、この係合爪部が筐体２の係合穴部（図示せず）と係合することにより開閉蓋２２が閉状態で保持され、係合解除することにより開閉蓋２２が開状態となる。
【００２２】
メモリカード操作室２１には、２つのメモリカードコネクタ３０、４０が収納されている。メモリカード操作室２１に開口するメモリカードコネクタ３０、４０は、ヒンジ軸Ｈと平行な挿入口３１、４１を有する。メモリカードコネクタ３０、４０は、挿入口３１、４１に挿入する同一種類の２枚のメモリカード３２、４２（例えば、ＳＤカード、ＳＤＨＣカード、ＣＦカード、ＰＣカード等）を装填位置及び排出位置に安定状態で保持することができる。メモリカードコネクタ３０、４０は、メモリカード３２、４２を装填位置で保持するロック機構（図示せず）と、装填位置にあるメモリカード３２、４２を筐体２の外方に向けて排出する排出機構（図示せず）を備えている。このロック機構及び排出機構として、例えば、メモリカードを押し込む度に装填と排出を繰り返すプッシュプッシュタイプを採用できる。
【００２３】
メモリカードコネクタ３０、４０は、単一の回路基板２３の両面に電気接点３３、４３を介して接続されており、メモリカードコネクタ３０、４０に装填したメモリカード３２、４２のいずれか一方に回路基板２３からアクセスして画像データを記録することができる。画像データの記録中には筐体２の後面に配置されたカードアクセスランプ１１が点灯する。
【００２４】
図２、図３に示すように、ヒンジ軸Ｈに近い側（図中の上側）のメモリカードコネクタ３０は、ヒンジ軸Ｈから遠い側（図中の下側）のメモリカードコネクタ４０よりも距離ｄだけ筐体２の外方に突出している（回路基板２３の両面への接続位置がずれている）。
【００２５】
したがって、図２に示すように、メモリカードコネクタ３０、４０によるメモリカード３２、４２のメモリカード平面と直交する方向（図中の上下方向）から見た装填位置は、ヒンジ軸Ｈに近い側のメモリカード３２が遠い側のメモリカード４２よりも距離ｄだけ筐体２の外方に突出している。すなわち、ヒンジ軸Ｈに近い側のメモリカード３２が遠い側のメモリカード４２よりも、閉状態の開閉蓋２２の位置を基準にしたとき、距離ｄだけ開閉蓋２２に接近している。よって、図３に示すように、メモリカードコネクタ３０、４０が同一のメモリカード排出機構を有するときは、メモリカードコネクタ３０から排出されたメモリカード３２が、メモリカードコネクタ４０から排出されたメモリカード４２よりも距離ｄだけ筐体２の外方に突出する。
【００２６】
図２、図３は、メモリカード操作室２１の底面を、メモリカード３２、４２の突出量の差（距離ｄ）に合わせて、ヒンジ軸Ｈに近いほど筐体２からの突出量が大きい階段状底面２１ａとする態様に本発明を適用した実施形態である。この実施形態では、メモリカード３２、４２の装填位置及び排出位置における階段状底面２１ａからの突出量は同一となっている。
【００２７】
以上説明した筐体２、メモリカード操作室２１、開閉蓋２２、及びメモリカードコネクタ３０、４０によって、本発明のメモリカード保持装置２０が構成される。
【００２８】
このメモリカード保持装置２０にメモリカードを装填するときは、デジタルカメラ１の電源がオフになっていることを確認した上で開閉蓋２２を開いて、メモリカード操作室２１に開口するメモリカードコネクタ３０、４０の挿入口３１、３２にメモリカードを差し込んで装填する。また、メモリカード保持装置２０に装填したメモリカードを排出するときは、装填位置にあるメモリカードを再度押し込んで排出位置に位置させる（突出させる）。
【００２９】
本実施の形態では、メモリカードコネクタ３０、４０によるメモリカード３２、４２のメモリカード平面と直交する方向から見た装填位置を互いに異ならせたので、メモリカードの装填及び排出の際に、操作対象であるメモリカード及びメモリカードコネクタを目視することなく指先の感触だけで識別できる結果、操作性を高めることができる。すなわち、メモリカード装填時に、メモリカードコネクタ３０（４０）にメモリカードを装填しようとしたが誤ってメモリカードコネクタ４０（３０）にメモリカードを装填する誤操作を防止することができ、メモリカード排出時に、メモリカードコネクタ３０（４０）に装填したメモリカードを排出しようとしたが誤ってメモリカードコネクタ４０（３０）に装填したメモリカードを排出する誤操作を防止することができる。
【００３０】
また、メモリカードの装填及び排出の際には、ヒンジ軸Ｈに近いほど筐体２と開閉蓋２２の間のスペースが小さく指を入れにくいため、メモリカード及びメモリカードコネクタの操作性が低くなる。これに対し本実施形態では、ヒンジ軸Ｈに近い側のメモリカードコネクタ３０を遠い側のメモリカードコネクタ４０よりも筐体２の外方に突出させたので、ヒンジ軸Ｈに近い側のメモリカード３２をメモリカードコネクタ３０に押し込んで装填及び排出しやすく、操作性が低くなることがない。
【００３１】
図４に示すように、ヒンジ軸Ｈに近い側のメモリカードコネクタ３０の排出機構の排出量を、ヒンジ軸Ｈから遠い側のメモリカードコネクタ４０の排出機構の排出量より多くすれば（例えば、メモリカードコネクタ３０の排出機構に用いられるばね力をメモリカードコネクタ４０の排出機構に用いられるばね力よりも大きくすれば）、メモリカードコネクタ３０から排出されたメモリカード３２が、メモリカードコネクタ４０から排出されたメモリカード４２よりも距離Ｄ（＞ｄ）だけ筐体２の外方に突出する。これにより、メモリカードコネクタ３０から排出したメモリカード３２を取り出す際に、メモリカード３２を指先でつまみやすくなる。
【００３２】
加えて（あるいは代替的には）、ヒンジ軸Ｈから遠い側のメモリカードコネクタ４０の挿入口４１の幅を、ヒンジ軸Ｈに近い側のメモリカードコネクタ３０の挿入口３１の幅よりも狭めて、装填排出抵抗を大きく設定することも可能である。これにより、メモリカードコネクタ３０よりもメモリカードコネクタ４０の方が、メモリカードを装填する際の押し込み力が大きく（重く）なるので、操作対象であるメモリカード及びメモリカードコネクタを目視することなく指先の感触だけで識別できる。一方、メモリカードコネクタ４０の方が排出抵抗が大きく排出されにくいため、メモリカードコネクタ３０、４０が同一のメモリカード排出機構を有していても、メモリカードコネクタ３０から排出されたメモリカード３２が、メモリカードコネクタ４０から排出されたメモリカード４２よりも筐体２の外方に突出する。これにより、メモリカードコネクタ３０から排出したメモリカード３２を取り出す際に、メモリカード３２を指先でつまみやすくなる。
【００３３】
図５は、メモリカード操作室２１の底面をメモリカード平面と直交する平面状底面２１ｂとする態様に本発明を適用した実施形態である。この実施形態では、ヒンジ軸Ｈに近い側のメモリカード３２の装填位置及び排出位置における平面状底面２１ｂからの突出量は、ヒンジ軸Ｈから遠い側のメモリカード４２の装填位置及び排出位置における平面状底面２１ｂからの突出量よりも大きく設定されている。これにより、メモリカードの装填及び排出の際に、操作対象であるメモリカード及びメモリカードコネクタを指先の感触で識別しやすくなる。また、ヒンジ軸Ｈに近い側のメモリカード３２をメモリカードコネクタ３０に押し込みやすくなる。さらに、メモリカードコネクタ３０から排出したメモリカード３２を取り出す際に、メモリカード３２を指先でつまみやすくなる。
【００３４】
以上の実施形態では、複数のメモリカードコネクタによる複数のメモリカードのメモリカード平面と直交する平面から見た装填位置を互いに異ならせたが、本発明はこれに限定されない。複数のメモリカードコネクタによる複数のメモリカードのメモリカード平面と直交する方向から見た装填位置を同一（面一）として、同排出位置だけを互いに異ならせることも可能である。具体的には、複数のメモリカードコネクタのメモリカード排出機構の排出量を互いに異ならせてもよいし、複数のメモリカードコネクタの挿入口の幅を狭めて排出抵抗を形成してもよい。
【００３５】
以上の実施形態では、本発明のメモリカード保持装置を２枚のメモリカードを保持可能なデュアルスロットタイプとした場合を例示して説明したが、本発明のメモリカード保持装置は、３枚以上のメモリカードを保持可能とすることができる。この場合、３枚以上のメモリカードの装填位置が互いに異なるようにメモリカードコネクタを構成すればよい。
【００３６】
本発明のメモリカード保持装置は、デジタルカメラ以外にも、ビデオカメラ、ＰＣ等の各種のメモリカード使用機器に同様に適用可能である。
【００３７】
本発明のメモリカード保持装置は、複数のメモリカードコネクタがメモリカード使用機器の筐体に形成されている（メモリカード操作室に収納されている）態様に限定されず、メモリカード使用機器とは別個に成立する装置（例えば、メモリカード使用機器に接続されて一体に用いられるカードリーダ）にも同様に適用可能である。
【符号の説明】
【００３８】
１  デジタルカメラ（メモリカード使用機器）
２  筐体
１１  カードアクセスランプ
２０  メモリカード保持装置
２１  メモリカード操作室
２１ａ  階段状底面
２１ｂ  平面状底面
２２  開閉蓋（カードカバー）
２３  回路基板
３０  ４０  メモリカードコネクタ
３１  ４１  挿入口
３２  ４２  メモリカード
３３  ４３  電気接点
Ｈ  ヒンジ軸
【図１】
0005493740.tif 000002
【図２】
0005493740.tif 000003
【図３】
0005493740.tif 000004
【図４】
0005493740.tif 000005
【図５】
0005493740.tif 000006